(57)【特許請求の範囲】
【請求項１】
使用者の右手又は左手の利き手に応じた両利き用のハサミの把持部であって、
当該把持部の内部に空隙部を有すると共に、前記空隙部には可撓性を有するハンドルフレーム部が内装され、
当該把持部の幅方向の一側面部には長さ方向に沿って前記ハンドルフレーム部が突出しうる開口部が開設されると共に、当該把持部の幅方向の他側面部には前記ハンドルフレーム部の突出を規制する突出阻止部材が設けられ、当該把持部の平面部には長さ方向に沿ってスライダ開口部が開設され、
前記ハンドルフレーム部の後端部は当該把持部の後端部に固定されると共に前記ハンドルフレーム部の先端部は前記スライダ開口部内に配置されるスライダに固定され、前記スライダを当該把持部の後端部方向へスライドさせることにより前記ハンドルフレーム部を撓め、前記開口部から当該把持部の外方へ突出させるものであり、
右利き又は左利きとして使用する場合に、前記スライダをスライドさせると、当該スライダの正面に対して前記ハンドルフレーム部が右側又は左側の幅方向のみに突出してハンドル部を形成するものであることを特徴とするハサミの把持部。
【請求項２】
不使用時には、スライダを把持部の先端部に戻すことで、ハンドルフレーム部を当該把持部内に収納させることを特徴とする請求項１記載のハサミの把持部。
【請求項３】
一対のハサミ構成体が軸部を介して交差して回動するよう構成されたハサミの把持部であって、
一方の把持部において幅方向の一側面部に一方のハンドルフレーム部が突出しうる一方の開口部が開設され、前記一方の把持部において幅方向の他側面部に一方の突出阻止部材が設けられる場合に、交差する他方の把持部において前記一方のハンドルフレーム部が突出する方向とは反対の方向となる幅方向の一側面部に他方のハンドルフレーム部を突出しうる他方の開口部が開設され、前記他方の把持部において幅方向の他側面部に他方の突出阻止部材が設けられることを特徴とする請求項１又は２記載のハサミの把持部。
【請求項４】
スライダ開口部の先端部には第１の係合凹部が形成され、前記スライダ開口部の後端部には第２の係合凹部が形成され、スライダには係止部が形成され、
前記スライダの係止部を前記第１の係合凹部に係合してハンドルフレーム部を把持部内に収納させる収納状態で固定させ、
前記スライダの係止部を前記第２の係合凹部に係合して前記ハンドルフレーム部を当該把持部の外方へ突出させる突出状態で固定させることを特徴とする請求項１乃至３のいずれか記載のハサミの把持部。
【請求項５】
把持部及びハンドルフレーム部は合成樹脂により形成されていることを特徴とする請求項１乃至４のいずれか記載のハサミの把持部。
【発明の詳細な説明】
【技術分野】
【０００１】
本発明は、ハサミに係り、特に、スムーズな使用が可能となると共に、不使用時には、ハンドル部を外方へ突出させることがなく、保持又は収納しやすく、かつ外観品質を向上させるハサミに関する。
【背景技術】
【０００２】
従来より、ハサミは右利き用の製品が一般的であるが、左利き用のハサミも存在した。しかしながら、いずれも、利き腕に専用のハサミの場合には、把持部の指リング部の幅方向の傾斜角度が異なるため、利き腕に専用のハサミではない場合には非常に使用しにくかった。
【０００３】
そこで、従来より、図４に示すような、右利きの使用者も左利きの使用者も違和感無く使用することができる「左右両利きハサミ」４０が提案されていた。
このような従来の「左右両利きハサミ」４０は、平面長方形状であって幅方向の両側に刃４１，４１を有する刃部４２と、上記刃部４２の長さ方向の端部に連設された把持部４３とを備え、軸部４６を介して双方向に回動可能な一対のハサミ構成体４４，４４を有し、上記把持部４３の幅方向両側には、夫々、ハンドル形成部４５，４５が内装され、上記夫々のハサミ構成体４４のハンドル形成部４４，４４を、反対の幅方向へ引き出すことにより、ハサミ４０を構成し、右利き、左利き双方の使用者に違和感無く使用できるように構成されている。
【０００４】
しかしながら、このような従来のハサミ４０にあっては、使用時に、上記ハンドル形成部４５，４５を幅方向に指で引き出すことが煩雑であり、スムーズな使用ができない場合がある、という不具合が存していた。
また、この従来のハサミ４０にあっては、収納時にあっても上記ハンドル形成部４５，４５が外方から視認できるように配置されていたことから外観品質が良好ではない、という不具合も存していた。
【先行技術文献】
【特許文献】
【０００５】
【特許文献１】特開昭６３−６３４８５号
【発明の概要】
【発明が解決しようとする課題】
【０００６】
そこで、本発明は、スムーズな使用が可能となると共に、不使用時には、ハンドル部を外方へ突出させることがなく、保持又は収納しやすく、かつ外観品質を向上させることができるハサミを提供することにある。
【課題を解決するための手段】
【０００７】
上記課題を解決するために、本発明は、使用者の右手又は左手の利き手に応じた両利き用のハサミの把持部であって、当該把持部の内部に空隙部を有すると共に、空隙部には可撓性を有するハンドルフレーム部が内装され、当該把持部の幅方向の一側面部には長さ方向に沿ってハンドルフレーム部が突出しうる開口部が開設されると共に、当該把持部の幅方向の他側面部にはハンドルフレーム部の突出を規制する突出阻止部材が設けられ、当該把持部の平面部には長さ方向に沿ってスライダ開口部が開設され、ハンドルフレーム部の後端部は当該把持部の後端部に固定されると共にハンドルフレーム部の先端部はスライダ開口部内に配置されるスライダに固定され、スライダを当該把持部の後端部方向へスライドさせることによりハンドルフレーム部を撓め、開口部から当該把持部の外方へ突出させるものであり、右利き又は左利きとして使用する場合に、スライダをスライドさせると、当該スライダの正面に対してハンドルフレーム部が右側又は左側の幅方向のみに突出してハンドル部を形成するものであることを特徴とする。
【０００８】
従って、本発明にあっては、使用者は使用時に、自分の利き腕に合わせて、一対のハサミ構成体を使用しやすい形に配置すると共に、使用者はスライダを把持部の後端部方向にスライドさせることにより、ハンドルフレーム部を一方の幅方向のみへ突出させてハサミの把持部を構成して使用することができる。
【０００９】
本発明は、上記ハサミの把持部において、不使用時には、スライダを把持部の先端部に戻すことで、ハンドフレーム部を前記把持部内に収納させることを特徴とする。
【００１０】
本発明は、上記ハサミの把持部において、一対のハサミ構成体が軸部を介して交差して回動するよう構成されたハサミの把持部であって、一方の把持部において幅方向の一側面部に一方のハンドルフレーム部が突出しうる一方の開口部が開設され、一方の把持部において幅方向の他側面部に一方の突出阻止部材が設けられる場合に、交差する他方の把持部において一方のハンドフレーム部が突出する方向とは反対の方向となる幅方向の一側面部に他方のハンドフレーム部を突出しうる他方の開口部が開設され、他方の把持部において幅方向の他側面部に他方の突出阻止部材が設けられることを特徴とする。
【００１１】
本発明は、上記ハサミの把持部において、スライダ開口部の先端部には第１の係合凹部が形成され、スライダ開口部の後端部には第２の係合凹部が形成され、スライダには係止部が形成され、スライダの係止部を第１の係合凹部に係合してハンドフレーム部を把持部内に収納させる収納状態で固定させ、スライダの係止部を第２の係合凹部に係合してハンドフレーム部を把持部の外方へ突出させる突出状態で固定させることを特徴とする。
【００１２】
本発明は、上記ハサミの把持部において、当該把持部及びハンドルフレーム部が合成樹脂により形成されていることを特徴とする。
【発明の効果】
【００１３】
本発明によれば、使用者がスライダを後端部方向へスライドさせることにより、ハンドルフレーム部を把持部の一方の幅方向へ突出させてハンドル部を形成することができることから、容易にハンドル部を形成することができ、その結果、スムーズな使用が可能となる。
【００１４】
また、不使用時には、上記スライダを把持部先端部方向へ戻すことにより、上記ハンドルフレーム部を把持部内に収納させることができるため、不使用時にハンドル部を外方へ突出させないことから、把持部から刃部にかけて一本の棒状に形成され、ハサミ全体として保持又は収納しやすく、かつ外観品質を向上させることができるハサミが提供される。
【００１５】
本発明によれば、一対のハサミ構成体が軸部を介して交差して回動するよう構成されたハサミの把持部であって、一方の把持部において幅方向の一側面部に一方のハンドルフレーム部が突出しうる一方の開口部が開設され、一方の把持部において幅方向の他側面部に一方の突出阻止部材が設けられる場合に、交差する他方の把持部において一方のハンドルフレーム部が突出する方向とは反対の方向となる幅方向の一側面部に他方のハンドルフレーム部を突出しうる他方の開口部が開設され、他方の把持部において幅方向の他側面部に他方の突出阻止部材が設けられる上記ハサミとしているので、一方の把持部において一方のハンドルフレーム部が突出しうる方向に対して、他方の把持部において一方のハンドルフレーム部が突出する方向とは反対の方向に他方のハンドルフレーム部を突出させることができる。
【００１６】
本発明によれば、スライダ開口部の先端部には第１の係合凹部が形成され、スライダ開口部の後端部には第２の係合凹部が形成され、スライダには係止部が形成され、スライダの係止部を第１の係合凹部に係合してハンドフレーム部を把持部内に収納させる収納状態で固定させ、スライダの係止部を第２の係合凹部に係合してハンドルフレーム部を把持部の外方へ突出させる突出状態で固定させる上記ハサミの把持部としているので、ハンドフレーム部の収納状態及び突出状態で固定できる。
また、本発明によれば、把持部及びハンドルフレーム部は合成樹脂により形成されていることから、軽量であって製造コストを低減できるハサミの把持部を提供することが可能となる。
【図面の簡単な説明】
【００１７】
【図１】本発明に係るハサミの一実施の形態を示す平面図であって、刃部を開くと共にハンドル部を形成した状態を示す図である。
【図２】本発明に係るハサミの一実施の形態を示し、ハンドル部を形成する際に、突出阻止部材を挿入する状態を示す平面図である。
【図３】本発明に係るハサミの一実施の形態を示し、ハンドル部を形成する際に、突出阻止部材を挿入した状態を示す平面図である。
【図４】従来の左右両利きハサミの一例を示す平面図である。
【発明を実施するための形態】
【００１８】
以下、添付図面に示す実施の形態に基づき、本発明を詳細に説明する。
図１に示すように、本実施の形態に係るハサミ１０は、幅方向両側に刃２６，２６が形成された刃部１１と、上記刃部１１に連設された把持部１２とを有し、上記刃部１１の基端部において軸部１３により回動可能に接合された一対のハサミ構成体１４，１４を備え、上記一対のハサミ構成体１４，１４が上記軸部１３を介して双方向（矢印方向）に交差して回動するように構成されている。
【００１９】
上記把持部１２は、内部に空隙部２７を有して形成され、一方の幅方向のみへ突出するハンドルフレーム部１５が、外方から視認不可能に上記空隙部２７に内装されており、上記把持部１２に設けられたスライダ１６を作動させることによりハンドル部２３を外方へ形成できるように構成されている。
【００２０】
本実施の形態にあっては、上記把持部１２及びハンドルフレーム部１５は合成樹脂により形成され、上記ハンドルフレーム部１５は細幅に形成されていることから長さ方向に圧縮された場合には左右方向へ容易に撓むように形成されている。
【００２１】
上記把持部１２は全体略細長直方体形状に形成されると共に可撓性を有する棒状のハンドルフレーム部１５が内装され、上記把持部１２の幅方向両側面部には長さ方向に沿って上記ハンドルフレーム部１５が幅方向に突出しうる開口部１７，１７が、夫々、開設されると共に、上記把持部１２の平面部１８には長さ方向に沿ってスライダ開口部１９が開設されている。
【００２２】
上記ハンドルフレーム部１５の後端部２０は把持部１２の後端部に固定されると共に、先端部２１は上記スライダ開孔部１９内に配置される上記スライダ１６に固定されている。
【００２３】
上記スライダ開口部１６の先端部及び後端部には、係合凹部２４，２５が形成され、スライダ１６に形成されている係止部（図示せず)が係合して、ハンドルフレーム部１５の収納状態及び突出状態で固定できるように構成されている。
また、上記開口部１７，１７は、側面台形状の突出阻止部材２２を挿入して固定可能に形成され、上記突出阻止部材２２を、ハンドルフレーム部１５を突出させたい幅方向とは反対側の開口部１７へ挿入することにより、上記ハンドルフレーム部１５の突出を規制することにより上記把持部の一方の幅方向のみへ突出させることができる。
【００２４】
その結果、本実施の形態にあっては、上記スライダ１６を把持部１２の後端部方向へスライドさせることによりハンドルフレーム部１５を撓め、上記開口部１７，１７から把持部１２の外方へ突出させるように構成されている。
【００２５】
以下、本実施の形態に係るハサミ１０の作用について説明する。
本実施の形態に係るハサミ１０を使用する場合、図２及び図３に示すように、先ず、一方のハサミ構成体１４に、上記突出阻止部材２２を把持部１２の幅方向の開口部１７，１７のいずれか一方の開口部１７ａに差込み、その状態でスライダ１６を上記係合凹部２４から外して把持部１２の後端部方向へ引き上記係合凹部２５にロックする。
【００２６】
これにより、図１に示すように、把持部１２に内装されているハンドルフレーム部１５は上記突出阻止部材２２に当接することから、突出阻止部材２２により閉塞されていない開口部１７から外方へ撓んで膨出するように突出してハンドル部２３が形成される。
【００２７】
同様にして、他方のハサミ構成体１４の、上記一方のハサミ構成体１４の突出阻止部材２２が挿入された開口部１７に対向する側の開口部１７ｂに突出阻止部材２２を挿入して、上記一方のハサミ構成体１４の外方に突出したハンドルフレーム部１５に対向し、相互に対称となるようにハンドルフレーム部１５を突出させて、図１に示すように、一対のハンドル部２３，２３を形成する。
【００２８】
この状態で、使用者の利き手に応じて、適宜、図１に示すように、右手又は左手により、指を上記ハンドル部２３，２３に挿入し、把持部１２，１２を把持して、ハサミ構成体１４，１４を上記軸部１３を介して回動させて使用する。
【００２９】
また、ハサミ１０を使用しない場合には、図２及び図３に示すように、上記スライダ１６を先端部方向へ戻して上記係合凹部２４へロックすることにより上記ハンドルフレーム部１５を把持部１２へ内装する。
従って、本実施の形態に係るハサミ１０にあっては、従来のように、使用者自ら、ハンドル形成部を把持部１２の幅方向に引き出してハンドル部２３，２３を形成する必要がなく、スライダ１６を作動させることによりハンドルフレーム部１５が幅方向に突出してハンドル部２３が形成されることから、容易にハンドル部２３を形成することができ、その結果、スムーズな使用が可能となる。
【００３０】
また、使用者は上記スライダ１６を後端部方向へスライドさせることにより、上記ハンドルフレーム部１５を把持部１２の一方の幅方向へ突出させてハンドル部２３を形成することができることから、使用者の判断でハンドルフレーム部１５を容易にいずれかの幅方向のみへ突出させることができる。
【００３１】
そして、ハサミ１０を使用しない場合には、上記スライダ１６を把持部１２の先端部方向へ戻すことにより、上記ハンドルフレーム部１５を把持部１２内に収納させることができるため、図２及び図３に示すように、不使用時にはハンドル部を外方へ突出させないことから、把持部１２から刃部１１にかけて一本の棒状に形成でき、ハサミ全体として保持又は収納しやすく、かつ外観品質を向上させることができる。
【００３２】
また、本実施の形態にあっては、把持部１２及びハンドルフレーム部１５は合成樹脂により形成されていることから、軽量であって製造コストを低減できるハサミを提供することが可能となる。
【産業上の利用可能性】
【００３３】
本発明は、スムーズな使用が可能となると共に、不使用時には、ハンドル部を外方へ突出させることがなく、保持又は収納しやすく、かつ外観品質を向上させることができるハサミに広く適用することができる。
【符号の説明】
【００３４】
１０...ハサミ、  １１...刃部、  １２...把持部、  １３...軸部、  １４...ハサミ構成体、１５...ハンドルフレーム部、  １６...スライダ、  １７...開口部、  １８...平面部、  １９...スライダ開口部、  ２０...後端部、  ２１...先端部、  ２２...突出阻止部材、  ２３...ハンドル部、  ２４...係合凹部、  ２５...係合凹部、  ２６...刃、  ２７...空隙部、  ４０...左右両利きハサミ、  ４１...刃、  ４２...刃部、  ４３...把持部、  ４４...ハサミ構成体、  ４５...ハンドル形成部
【図１】
0005507612.tif 000002
【図２】
0005507612.tif 000003
【図３】
0005507612.tif 000004
【図４】
0005507612.tif 000005